(57)【要約】【課題】多くの機能を備えた画像形成装置において、利用者にとって操作性がよく、簡単かつ正確に所望の機能を設定することができる操作装置を提供する。【解決手段】操作装置は、各々、情報の表示及び入力が可能な第１及び第２の表示入力装置と、複数個の設定項目をそれぞれ異なる態様で表す第１及び第２の表示画面群を生成し、第１及び第２の表示入力装置の一方及び他方にそれぞれ表示するための表示制御機能と、第１及び第２の表示入力装置のいずれかを用いて設定項目のいずれかの値が入力されたときに、入力された値にしたがって第１及び第２の表示入力装置の表示を連動して変化させて表示するための表示内容変更機能（Ｓ６１６、Ｓ６１８）とを含む。【選択図】        図６
2010160676.tif 000002
【特許請求の範囲】
【請求項１】
各々、情報の表示及び入力が可能な第１及び第２の表示入力手段と、
複数個の設定項目をそれぞれ異なる態様で表す第１及び第２の表示画面群を生成し、前記第１及び第２の表示入力手段の一方及び他方にそれぞれ表示するための表示制御手段と、
前記第１及び第２の表示入力手段のいずれかを用いて前記設定項目のいずれかの値が入力されたときに、入力された値にしたがって前記第１及び第２の表示入力手段の表示を連動して変化させて表示するための表示内容変更手段とを含む、操作装置。
【請求項２】
前記第１の表示画面群により表示及び入力される項目数は、前記第２の表示画面群により表示及び入力される項目数より多く、かつそれらをすべて含んでいる、請求項１に記載の操作装置。
【請求項３】
前記複数個の設定項目の値を記憶するための記憶手段と、
前記第１及び第２の表示入力手段のいずれかを用いて前記設定項目のいずれかの値が入力されたときに、入力された値にしたがって前記記憶手段の値を更新するための記憶内容更新手段とをさらに含み、
前記表示内容変更手段は、
前記記憶手段に記憶される前記複数個の設定項目のうち、前記第１及び第２の表示入力手段に表示されるべき設定項目の内容を前記第１及び第２の表示画面群に応じてあらかじめ定められた形式に変換して、前記第１及び第２の表示入力手段の表示を連動して変化させるための手段を含む、請求項１又は請求項２に記載の操作装置。
【請求項４】
前記第１及び第２の表示画面群を、前記第１及び第２の表示入力手段のいずれに表示するかを利用者の指示により切替えるための手段をさらに含む、請求項１〜請求項３のいずれかに記載の操作装置。
【請求項５】
利用者の認証を行なうための認証手段と、
前記認証手段により認証される利用者ごとに、前記第１及び第２の表示画面群を、前記第１及び第２の表示入力手段のいずれに表示するかを特定する情報を記憶するための手段とをさらに含む、請求項１〜請求項３のいずれかに記載の操作装置。
【請求項６】
操作装置があらかじめ定められた状態になったことに応答して、広告画面を前記第１及び第２の表示入力手段に表示するための手段をさらに含む、請求項１〜請求項５のいずれかに記載の操作装置。
【請求項７】
前記広告画面に対する入力を受けたことに応答して、前記第１及び第２の表示画面群を前記第１及び第２の表示入力手段の一方及び他方にそれぞれ表示するための手段をさらに含む、請求項６に記載の操作装置。
【発明の詳細な説明】
【技術分野】
【０００１】
本発明は、画像データを読込み様々な印刷出力をすることが可能な画像形成装置に関し、特に、多数の設定項目を簡易に入力したり、詳細に入力したりすることが容易な画像形成装置に関する。
【背景技術】
【０００２】
現在、複写機等の画像形成装置は多機能化が進んでおり、画像データの拡大・縮小印刷機能、記録紙に対しての両面印刷機能、及び１枚の用紙に複数ページ分の画像データを印刷する集約印刷機能などが実行可能になっている。複雑な画像形成機能の設定には、画像形成装置の表示部に重畳されたタッチパネルによる入力が主流となっている。入力操作に応じて表示画面を切換え、新たに表示された画面で入力操作を行なうことで、表示部の領域内だけで複雑な印刷設定を行なうことができる。
【０００３】
しかし、多様な画像形成装置の機能の中で全ての機能が頻繁に使われるわけではない。全ての機能に関する設定項目を表示部に並べると画面表示が煩雑になり、利用者にとって設定入力がしづらいという問題点があった。
【０００４】
特許文献１では、画像形成装置の設定入力に関し、実行可能な機能をすべて表示しそれらの設定が可能な標準画面と、実行可能な機能の中からいくつかの機能を表示しそれらの設定が可能な簡単画面とを設け、標準画面及び簡単画面からの印刷指示回数をそれぞれ計測して、その回数が多い方を表示部に表示させる技術が開示されている。
【０００５】
特許文献２では、画像形成装置の機能設定を行なうにあたり、画像形成装置の外部に汎用ＰＣによる拡張コントローラを設け、所望の機能を簡単に表示し設定することができる技術が開示されている。
【先行技術文献】
【特許文献】
【０００６】
【特許文献１】特開平９−３０５０６３号
【特許文献２】特開２００５−３０１８９０号
【発明の概要】
【発明が解決しようとする課題】
【０００７】
画像形成装置は、装置の多機能化とともに、装置自体を小型化すること、及び所望する機能を簡単に設定できることが求められており、大きな課題になっている。
【０００８】
特許文献２の技術は、画像形成装置の外部に拡張ＰＣを必要とする技術であるため、装置の小型化という点で課題を解決するには十分ではない。
【０００９】
特許文献１の技術では、標準画面と簡単画面とのいずれを表示するかが使用頻度により決定される。そのため、表示画面に利用者の所望する画面が表示されなかった場合は、画面切換操作などの煩雑な操作が余計に必要になるため、所望の機能を簡単に設定できるという点で課題を解決するには十分ではない。
【００１０】
そのため、本発明の目的は、多くの機能を備えた画像形成装置において、利用者にとって操作性がよく、簡単かつ正確に所望の機能を設定することができる操作装置を提供することである。
【課題を解決するための手段】
【００１１】
本発明の第１の局面にかかる操作装置は、各々、情報の表示及び入力が可能な第１及び第２の表示入力手段と、複数個の設定項目をそれぞれ異なる態様で表す第１及び第２の表示画面群を生成し、第１及び第２の表示入力手段の一方及び他方にそれぞれ表示するための表示制御手段と、第１及び第２の表示入力手段のいずれかを用いて設定項目のいずれかの値が入力されたときに、入力された値にしたがって第１及び第２の表示入力手段の表示を連動して変化させて表示するための表示内容変更手段とを含む。
【００１２】
表示制御手段は、複数個の設定項目をそれぞれ異なる態様で表す第１及び第２の表示画面群を生成し、第１及び第２の表示入力手段の一方及び他方にそれぞれ表示する。表示内容変更手段は、第１及び第２の表示入力手段のいずれかを用いて設定項目のいずれかの値が入力されたときに、入力された値にしたがって第１及び第２の表示入力手段の表示を連動して変化させる。
【００１３】
第１及び第２の表示入力手段のうちいずれで入力操作を受けても、その入力内容は他方の表示入力手段に反映されるため、利用者にとって操作性がよく、正確に所望の機能を設定することができる。また、設定項目に関しては第１及び第２の表示画面群により表示されるので、多くの機能を備えた画像形成装置において、使いやすい表示画面群を用いて、簡単に情報を入力することが可能である。その結果、多くの機能を備えた画像形成装置において、利用者にとって操作性がよく、簡単かつ正確に所望の機能を設定することができる操作装置を提供することができる。
【００１４】
好ましくは、第１の表示画面群により表示及び入力される項目数は、第２の表示画面群により表示及び入力される項目数より多く、かつそれらをすべて含んでいる。
【００１５】
第２の表示画面群で設定すべき項目数が少ないので、余計な項目を入力する必要がない。第１の表示画面群を用いればすべての項目を入力できる。
【００１６】
好ましくは、操作装置は、複数個の設定項目の値を記憶するための記憶手段と、第１及び第２の表示入力手段のいずれかを用いて設定項目のいずれかの値が入力されたときに、入力された値にしたがって記憶手段の値を更新するための記憶内容更新手段とをさらに含む。表示内容変更手段は、記憶手段に記憶される複数個の設定項目のうち、第１及び第２の表示入力手段に表示されるべき設定項目の内容を第１及び第２の表示画面群に応じてあらかじめ定められた形式に変換して、第１及び第２の表示入力手段の表示を連動して変化させるための手段を含む。
【００１７】
記憶内容更新手段は、第１及び第２の表示入力手段のいずれかを用いて設定項目のいずれかの値が入力されたときに、入力された値にしたがって記憶手段の値を更新する。変化させるための手段は、設定項目のいずれかの値が入力されたことに応答して、入力された値にしたがって第１及び第２の表示画面群に応じてあらかじめ定められた形式に変換して第１及び第２の表示入力手段の表示を連動して変化させる。
【００１８】
第１及び第２の表示入力手段の一方を用いて設定項目の値を入力すると、入力された値にしたがって記憶手段に記憶された設定項目の値を更新し、第１及び第２の表示入力手段の表示が連動して変化する。その際、第１及び第２の表示画面群により表示形式が変換される。その結果、表示入力手段の表示画面において入力を受けた設定項目が、利用者にとって分かりやすく表示される。
【００１９】
好ましくは、操作装置は、第１及び第２の表示画面群を、第１及び第２の表示入力手段のいずれに表示するかを利用者の指示により切替えるための手段をさらに含む。
【００２０】
利用者の操作により、第１及び第２の表示入力手段のそれぞれの動作を切替えることができる。その結果、利用者の操作しやすい操作装置を実現できる。
【００２１】
好ましくは、操作装置は、利用者の認証を行なうための認証手段と、認証手段により認証される利用者ごとに、第１及び第２の表示画面群を、第１及び第２の表示入力手段のいずれに表示するかを特定する情報を記憶するための手段とをさらに含む。
【００２２】
操作装置は、利用者認証を行ない、利用者ごとに第１及び第２の表示画面群をどの表示入力手段に表示するかを記憶することができる。その結果、利用者ごとに利用しやすい表示入力手段で使用することができ、利用者それぞれにとって操作性のよい環境で作業することができる。
【００２３】
好ましくは、操作装置は、広告画面を第１及び第２の表示入力手段に表示するための手段をさらに含む。
【００２４】
第１及び第２の表示入力手段で、使用しない表示入力手段には設定とは関連のない広告を表示する画面を生成し、表示する。その結果、例えば、利用者に対して管理者からの用件を伝えたり、不特定の利用者が利用するようなコンビニエンスストアなどでは商品情報を伝えたりなど、操作表示手段を告知手段の一つとして活用することができる。
【００２５】
より好ましくは、操作装置は、表示入力手段に表示される広告画面に入力を受けたことに応答して、複数の表示画面のいずれかを表示するための手段をさらに含む。
【００２６】
表示入力手段に表示された広告画面に入力を受けた時、複数の表示画面のいずれかを表示する。その結果、すぐに設定項目の入力操作を行なうことができる。
【発明の効果】
【００２７】
このように、操作装置は、設定入力操作に関して第１及び第２の表示入力手段を含み、それらの表示入力手段では設定する情報の項目を第１及び第２の表示画面群というそれぞれ異なる態様で表示する。利用者から第１及び第２の表示入力手段のいずれかが入力を受けた時、操作装置は入力された内容を記憶し、入力された値にしたがって第１及び第２の表示入力手段の表示を連動して変化させる。このように、第１及び第２の表示入力手段のうちいずれで入力操作を受けても、その入力内容は他方の表示入力手段に反映されるため、利用者にとって操作性がよく、正確に所望の機能を設定することができる。また、設定項目に関しては様々な態様の表示画面を作成することができるため、多くの機能を備えた画像形成装置において、使いやすい表示画面群を使用して、簡単に情報を入力することが可能である。その結果、多くの機能を備えた画像形成装置において、利用者にとって操作性がよく、簡単かつ正確に所望の機能を設定することができる操作装置を提供することができる。
【図面の簡単な説明】
【００２８】
【図１】本発明の第１の実施の形態に係る画像処理システム２０の構成を示す図である。
【図２】第１の実施の形態に係るデジタル複合機３０の構成を示すブロック図である。
【図３】デジタル複合機３０の上部に設置される画像読取部５２の斜視図である。
【図４】第１の操作部６０を表す図である。
【図５】第２の操作部６２を表す図である。
【図６】ＣＰＵ５０で実行され、コピーモードにおける簡単設定モード及び詳細設定モードの両方のモードを用いて印刷設定を入力し、印刷を実行するまでのプログラムの制御構造をフローチャート形式で表す図である。
【図７】第１の設定変更処理のプログラムの制御構造をフローチャート形式で表す図である。
【図８】簡単設定モードで表示される表示画面の例を表す図である。
【図９】第２の設定変更処理のプログラムの制御構造をフローチャート形式で表す図である。
【図１０】ＣＰＵ５０で実行され、ユーザ認証を行ない、ユーザ毎の設定にしたがって簡単設定モード及び詳細設定モードの両方を用いて印刷設定を入力し、印刷を実行するまでのプログラムの制御構造をフローチャート形式で表す図である。
【図１１】図１０のステップＳ１００２で実行されるログイン処理におけるプログラムの制御構造をフローチャート形式で表す図である。
【発明を実施するための形態】
【００２９】
以下の説明及び図面においては、同一部品には同じ参照符号および名称を付してある。それらの機能も同様である。したがって、それらについての詳細な説明は繰返さない。
【００３０】
以下の実務の形態に係る、デジタル複合機は、２つの表示部と、それぞれの表示部に重畳され利用者からの入力操作を受けるタッチパネルとを有する。デジタル複合機における設定入力モードには、詳細設定モードと簡単設定モードとの２種類ある。
【００３１】
詳細設定モードは、デジタル複合機の全ての機能を設定するためのものである。詳細設定モードでは、表示部に表示される初期画面を操作し、各機能の詳細設定画面に推移して機能設定を行なう。
【００３２】
簡単設定モードは、デジタル複合機で実行できる機能のうち、よく使う機能のみを設定するためのものである。簡単設定モードは、数ページの画面のみで構成される。画面表示にしたがって設定を行なうことで、例えば、カラー印刷、及び拡大・縮小印刷の設定ができる。以下の記載では簡単設定モードの画面構成例として５ページからなるものを想定し、１ページ目にカラーモード設定、２ページ目に出力用紙サイズ設定、３ページ目に原稿セット指示、４ページ目に印刷濃度設定、５ページ目にスタートボタン押下指示を表示させる。
【００３３】
利用者は２つの表示部の、一方には詳細設定モードを、他方には簡単設定モードを表示するよう、設定することができる。
【００３４】
［第１の実施の形態］
第１の実施の形態では、利用者は２つの表示部に表示する設定入力モードを予め設定しておく。
【００３５】
―構成―
図１は、本発明の第１の実施の形態に係る画像処理システム２０の構成を示す図である。図１を参照して、画像処理システム２０は、デジタル複合機３０を含む。デジタル複合機３０は、コピーモード、プリンタモード、及びファクシミリ送信等のイメージ送信モードで動作可能なデジタル複合機である。デジタル複合機３０はローカルネットワーク４０、及び電話回線網４４に接続されている。ローカルネットワーク４０には外部コンピュータ３２が接続される。電話回線網４４には外部のファクシミリ装置３８が接続されている。ローカルネットワーク４０にはさらに、ゲートウェイ（図示せず）及びインターネット４２を介して外部コンピュータ３４、及びインターネットファクシミリ装置３６（以下ファクシミリ装置３６という）等が接続されている。
【００３６】
デジタル複合機３０は、コピーモード、プリンタモード及び、電話回線網４４を用いたファクシミリ送信と、インターネットを介して画像データを送信するインターネットファクシミリ送信との双方を実行可能なイメージ送信モードのいずれでも動作を可能である。どの動作モードで動作しているかは本発明の本質とは無関係なので、以下、デジタル複合機３０におけるコピーモードについて説明する。
【００３７】
図２は、本実施の形態に係るデジタル複合機３０の構成を示すブロック図である。図２を参照して、デジタル複合機３０は、所定のプログラムを実行することによりデジタル複合機３０の全体の制御を行なうＣＰＵ（Ｃｅｎｔｒａｌ  Ｐｒｏｃｅｓｓｉｎｇ  Ｕｎｉｔ）５０と、ＣＰＵ５０に接続されたバス７８と、いずれもバス７８に接続された、原稿画像を読取るための画像読取部５２と、画像読取部５２で読取った原稿を画像データとして記憶するための画像蓄積部６４と、画像蓄積部６４に記憶された画像データ及び各種データを記録紙に出力するための画像形成部５４と、画像読取部５２で読取った画像データから送信ファクシミリ用画像データを作成するための画像処理部５８と、利用者のユーザＩＤ、ユーザＩＤに対応したパスワード、及びユーザが設定する各種情報を記憶するためのユーザ情報管理部５６と、読取った画像データを符号化し、受信した符号化データを元の画像データに復号化するための符号化復号化部６６と、操作者からの入力操作を受付けるための第１の操作部６０と、第２の操作部６２と、デジタル複合機３０の入力操作及び画面表示に関する制御を行なうための制御部７４と、デジタル複合機３０の各種情報を記憶するための記憶部７６とを含む。
【００３８】
デジタル複合機３０はさらに、ＬＡＮ（Ｌｏｃａｌ  Ａｒｅａ  Ｎｅｔｗｏｒｋ）に接続するためのＬＡＮインターフェイス７２と、電話回線網と接続され回線の制御を行なうための網制御部６８と、電話回線網と接続しファクシミリ通信を行なうためのファクシミリモデム７０とを含む。
【００３９】
第１の操作部６０は、第１の表示部８０及び第１の表示部に重畳されて配置された、入力操作を受けるための第１のタッチパネル８１を含む。第２の操作部６２は、第２の表示部８２及び第２の表示部に重畳されて配置された入力操作を受けるための第２のタッチパネル８３を含む。第１及び第２のタッチパネル８１、８３で受けた入力操作は、それぞれ制御部７４に送られる。
【００４０】
記憶部７６は、デジタル複合機３０の全体の動きを制御するためのプログラムを格納するプログラム格納部９６と、簡単設定モードのページ情報、ページ情報に対応する表示画面、及びページ情報に付加される情報を記憶する簡単設定画面格納部９８と、詳細設定モードの表示画面を記憶する詳細設定画面格納部１００と、簡単設定モード及び詳細設定モードで設定された印刷設定を記憶する印刷設定格納部１０２と、表示部に表示する広告情報を記憶するための広告情報格納部１０４とを含む。
【００４１】
制御部７４は、簡単設定モードでの画面操作に応答し、設定された値を一時的に記憶するための簡単設定入力データ制御部８４と、詳細設定モードでの画面操作に応答し、設定された値を一時的に記憶するための詳細設定入力データ制御部８６と、簡単設定モードで設定された値と、詳細設定モードで設定された値との両者の整合性をとるための簡単・詳細設定変換部９２と、第１及び第２の表示部にそれぞれ表示される、簡単設定モード及び詳細設定モードの表示画面の制御を行なう表示制御部９０と、印刷設定格納部１０２に記憶された値に基づき表示画面を更新する設定画面生成部８８と、印刷設定格納部１０２に記憶された値と画像蓄積部６４とに記憶された画像データから複写用の画像データを生成する複写画像生成部９４とを含む。
【００４２】
簡単・詳細設定変換部９２では、簡単設定モード及び詳細設定モードで設定された値の整合性を取るために、簡単設定モードで設定された値は詳細設定モードに、及び詳細設定モードで設定された値は簡単モードにそれぞれ対応するように、各モードで設定された値を対応するモードで表示できるように自動計算し、設定する。例えば、利用者が簡単設定モードで出力用紙サイズを「Ａ３」に設定し、その後に読取った原稿サイズがＡ３以外のサイズであった場合、印刷時における倍率が自動計算され、出力原稿サイズのＡ３と、倍率の値とが詳細設定モードの値として設定される。簡単設定モードで入力された値を詳細設定画面で表示できるように変換した値を詳細設定値と呼び、詳細設定モードで入力された値を簡単設定画面に表示できるように変換した値を簡単設定値と呼ぶ。
【００４３】
図３は、デジタル複合機３０の上部に設置される画像読取部５２の斜視図である。図３を参照して、画像読取部５２は、原稿読取台１２４と、原稿読取台１２４に置かれた原稿を押圧し、外部から入射する光を遮るための原稿カバー１２２とを含む。原稿読取台１２４と原稿カバー１２２とはヒンジ（図示せず）で開閉可能に接続されている。また、図３を参照して、第１の操作部６０及び第２の操作部６２は、デジタル複合機３０の上部に設置される。
【００４４】
図４は、第１の操作部６０を表す図である。図４を参照して、第１の操作部６０は、各種ハードウェアキーからなる操作部１３０と、液晶ディスプレイを用いて各種情報を表示する第１の表示部８０と、第１の表示部８０に重畳されて配置された第１のタッチパネル８１とを含む。操作部１３０は、数値入力のためのテンキー１３２と、入力した設定値をクリアするためのクリアキー１３４と、入力した各種設定を全解除するための全解除キー１３６と、コピー開始等の指示を入力するためのスタートキー１３８とを含む。第１の表示部８０に表示されている項目への入力操作は、重畳された第１のタッチパネル８１の該当する部分に触れることで行なわれる。
【００４５】
図４に示す第１の表示部８０に表示されているのは、詳細設定モードの初期画面１４０である。図４を参照して、初期画面１４０は、詳細設定モードでコピーモードのカラーコピー設定を行なうカラーモード設定ボタン１４２と、詳細設定モードで用紙サイズの設定をするための用紙トレイ選択ボタン１４４と、コピー時の倍率を設定するための倍率設定ボタン１４６と、詳細設定モードでコピー濃度を設定するためのコピー濃度設定ボタン１４８とを含む。第１のタッチパネル８１で表示されているボタン上に触れることで該当項目が選択され、該当項目の設定画面に移行する。
【００４６】
図５は、第２の操作部６２を表す図である。図５を参照して、第２の操作部６２は、液晶ディスプレイを用いて各種情報を表示する第２の表示部８２と、第２の表示部８２に重畳されて配置された第２のタッチパネル８３とを含む。第２の表示部８２に表示されている項目への入力操作は、重畳された第２のタッチパネル８３の該当する部分に触れることで行なわれる。
【００４７】
図５に示す第２の表示部８２に表示されているのは、簡単設定モードの１ページ目の設定画面１６０である。図５を参照して、設定画面１６０は、フルカラーコピーを選択するためのフルカラーボタン１６２と、赤、緑、青など、６色から１色を選んでコピーする単色カラーコピーを選択するための単色カラーボタン１６４と、白黒コピーを選択するための白黒コピーボタン１６６とを含む。第２のタッチパネル８３で表示されているボタンに触れることで該当項目が設定され、次の設定画面に移行する。
【００４８】
図６は、デジタル複合機３０のＣＰＵ５０で実行され、コピーモードにおける簡単設定モード及び詳細設定モードの両方のモードを用いて印刷設定を入力し、印刷を実行するまでのプログラムの制御構造をフローチャート形式で表す図である。このプログラムは、デジタル複合機３０の電源がオンされた時に実行される。
【００４９】
この例では、第１の表示部８０に詳細設定モードの画面表示を、第２の表示部８２に簡単設定モードの画面表示をするように、利用者があらかじめ設定をしていたものとする。
【００５０】
図６を参照して、このプログラムは、設定画面生成部８８が記憶部７６から詳細設定モード及び簡単設定モードの各画面に表示すべき初期画面を読出すステップＳ６０２と、ステップＳ６０２に続いて実行され、簡単設定モードの初期画面を第２の表示部８２に表示するステップＳ６０４と、ステップＳ６０４に続いて実行され、詳細設定モードの初期画面を第１の表示部８０に表示するステップＳ６０６とを含む。
【００５１】
ステップＳ６０２では、詳細設定モードの初期画面は詳細設定画面格納部１００から読出される。簡単設定モードの初期画面は広告情報格納部１０４から読出される。簡単設定モードの初期画面は広告情報であるが、第２の操作部８２が操作されたことに応答して、簡単設定モードの１ページ目が表示される。
【００５２】
このプログラムはさらに、ステップＳ６０６に続いて実行され、全解除キー１３６が押されたか否かを判定し、判定結果に応じて制御の流れを分岐させるステップＳ６０８と、ステップＳ６０８で全解除キー１３６が押されていない（ＮＯ）と判定された場合に実行され、スタートキー１３８が押されたか否かを判定し、判定結果に応じて制御の結果を分岐させるステップＳ６１０と、ステップＳ６１０でスタートキー１３８が押されていない（ＮＯ）と判定された場合に実行され、簡単設定モードの画面で設定入力操作を受けたか否かを判定し、判定結果に応じて制御の流れを分岐させるステップＳ６１２と、ステップＳ６１２で設定入力操作を受けていない（ＮＯ）と判定された場合に実行され、詳細設定モードの画面で設定入力操作を受けたか否かを判定し、判定結果に応じて制御の流れを分岐させるステップＳ６１４と、ステップＳ６１２で、簡単設定モード画面で設定入力操作を受けた（ＹＥＳ）と判定された場合に実行され、第１の設定変更処理を実行し制御をステップＳ６０８に戻すステップＳ６１６と、ステップＳ６１４で、詳細設定モード画面で設定入力操作を受けた（ＹＥＳ）と判定された場合に実行され、第２の設定変更処理を実行し、制御をステップＳ６０８に戻すステップＳ６１８とを含む。ステップＳ６１４で、詳細設定画面で設定入力操作を受けていない（ＮＯ）と判定された場合、制御はステップＳ６０８に戻る。
【００５３】
このプログラムはさらに、ステップＳ６１０でスタートキー１３８が押された（ＹＥＳ）と判定された時に実行され、画像読取部５２で原稿を読取り、画像データを画像蓄積部６４に記録するステップＳ６２０と、ステップＳ６２０に続いて実行され、ステップＳ６２０で記憶された画像データから印刷設定にしたがって印刷用画像データを生成するステップＳ６２２と、ステップＳ６２２に続いて実行され、ステップＳ６２２で生成された印刷用画像データを画像形成部５４で印刷するステップＳ６２４と、ステップＳ６２４に続いて実行され、簡単設定モードのページ情報に付加された設定済フラグをリセットし、制御をステップＳ６０２に戻すステップＳ６２６とを含む。ステップＳ６０８で全解除キー１３６が押された（ＹＥＳ）と判定された場合、制御はステップＳ６２６に進む。なお、設定済フラグとは、後述する簡単設定モードで、あるページを用いた設定がされたか否かを示すフラグである。
【００５４】
図７は、図６のステップＳ６１６で実行される、第１の設定変更処理のプログラムの制御構造をフローチャート形式で表す図である。
【００５５】
図７を参照し、このプログラムは、簡単設定モードの初期画面の広告情報が表示されているか否かを判定し、判定結果に応じて制御の流れを分岐させるステップＳ７０１と、ステップＳ７０１で初期画面の広告情報が表示されていない（ＮＯ）と判定された時に実行され、ステップＳ６１２で入力を受けた項目に対応する簡単設定画面の表示を更新するステップＳ７０２と、ステップＳ７０２に続いて実行され、入力された設定値を詳細設定値へ変換するステップＳ７０４と、ステップＳ７０４に続いて実行され、ステップＳ７０４で変換された詳細設定値に基づいて詳細設定画面を更新するステップＳ７０６と、ステップＳ７０６に続いて実行され、ステップＳ６１２で設定入力を受けた簡単設定モードのページに対して、設定済フラグをセットするステップＳ７０８と、ステップＳ７０８に続いて実行され、簡単設定モードを構成する画面の中で設定済フラグがリセットされている簡単設定モードのページがあるか否かを判定し、判定結果に応じて制御の流れを分岐させるステップＳ７１０と、ステップＳ７１０で設定済フラグがリセットされている簡単設定モードのページがある（ＹＥＳ）と判定された場合に実行され、簡単設定画面格納部９８から設定済フラグがリセットされている簡単設定モードの画面の中で、一番ページ番号が小さい簡単設定モードの画面を取得するステップＳ７１２と、ステップＳ７１０で設定済フラグがリセットされている簡単設定モードのページがない（ＮＯ）と判定された場合に実行され、広告情報格納部１０４から広告情報画面を取得するステップＳ７１４と、ステップＳ７０１で簡単設定モード初期画面の広告情報が表示されている（ＹＥＳ）と判定された場合に実行され、簡単設定画面格納部９８から簡単設定モードを構成する画面の１ページ目を取得するステップＳ７１８と、ステップＳ７１２、ステップＳ７１４、及びステップＳ７１８のいずれかの後に実行され、取得した画面で簡単設定モードの画面を更新するステップＳ７１６とを含む。ステップＳ７１６実行後、このプログラムは終了する。
【００５６】
図８は、簡単設定モードで表示される表示画面の例を表す図である。図８を参照し、図８（Ａ）は、ステップＳ６０２で読込まれステップＳ６０４で表示される広告情報を表す図である。図８（Ａ）に表示されているとおり、広告情報画面が表示されている時に簡単設定モードの表示画面に触れると、簡単設定モードの１ページ目の画面を表示する。
【００５７】
図８（Ｂ）は、ステップＳ７１２、７１４が実行され、表示される簡単設定モードの画面を表す図である。図８（Ｂ）は、カラーモードの設定に続いて表示される、出力用紙サイズ設定画面１８０を示す。図８（Ｂ）を参照して出力用紙サイズ設定画面１８０は、用紙設定ボタン１８２を含む。用紙設定ボタン１８２では、出力用紙サイズとして、Ｂ５、Ａ４、Ｂ４、Ａ３、及びはがきサイズのうちのいずれか一つを設定する。
【００５８】
図９は、図６のステップＳ６１８で実行される、第２の設定変更処理のプログラムの制御構造をフローチャート形式で表す図である。
【００５９】
図９を参照し、このプログラムは、ステップＳ６１４で入力を受けた設定に対応して詳細設定画面の表示を更新するステップＳ９０２と、ステップＳ９０２に続いて実行され、設定された項目が簡単設定画面で設定可能であるか否かを判定し、判定結果に応じて制御の流れを分岐させるステップＳ９０４と、ステップＳ９０４で設定可能である（ＹＥＳ）と判定された場合に実行され、入力された設定値を簡単設定値へ変換するステップＳ９０６と、ステップＳ９０６に続いて実行され、簡単設定モードを構成するページの中で、ステップＳ９０６で変換された簡単設定値を設定するためのページを検索し、該当するページを簡単設定値で更新するステップＳ９０８と、ステップＳ９０８に続いて実行され、ステップＳ９０８で更新された簡単設定モードのページに対して設定済フラグをセットするステップＳ９１０と、ステップＳ９１０に続いて実行され、簡単設定モードを構成する画面の中で設定済フラグがリセットされているページがあるか否かを判定し、判定結果に応じて制御の流れを分岐させるステップＳ９１２と、ステップＳ９１２で設定済フラグがリセットされているページがある（ＹＥＳ）と判定された場合に実行され、簡単設定画面格納部９８から設定済フラグがリセットされている簡単設定モードの画面の中で、一番ページ番号が小さい画面を取得するステップＳ９１４と、ステップＳ９１２で設定済フラグがリセットされているページがない（ＮＯ）と判定された場合に実行され、広告情報格納部１０４から広告情報画面を取得するステップＳ９１６と、ステップＳ９１４又はステップＳ９１６の後に実行され、取得した画面で簡単設定モードの画面を更新するステップＳ９１８とを含む。ステップＳ９０４で設定可能ではない（ＮＯ）と判定された場合、又はステップＳ９１８実行後、このプログラムは終了する。
【００６０】
ステップＳ９０２及びステップＳ９０８で、既に項目が設定済の場合は、該当する項目を新しい設定で上書きする。
【００６１】
―動作―
第１の実施の形態にかかるデジタル複合機３０は以下のように動作する。
【００６２】
デジタル複合機３０は、利用者により電源が投入されると、図６に示すプログラムを起動し、詳細設定モード、及び簡単設定モードの初期画面を読込む（ステップＳ６０２）。読込んだ各モードの初期画面は、予め設定された第１及び第２の表示部８０、８２にそれぞれ表示される（ステップＳ６０４、６０６）。
【００６３】
デジタル複合機３０は、簡単設定モードの設定画面で設定入力を受けると（ステップＳ６１２でＹＥＳ）、簡単設定モードで表示されているのが初期画面か否かを判定する（図７、ステップＳ７０１）。初期画面ならば、簡単設定画面の１ページ目を読出して表示し、次の入力を待つ（ステップＳ７１８、７１６）。続いて利用者が簡単設定画面の１ページを操作して設定項目に対する入力を受けると、入力された値で表示画面を更新する（図７、ステップＳ７０２）。デジタル複合機３０は、簡単設定モードで入力された値を詳細設定値に変換し（ステップＳ７０４）、その値に対応するように詳細設定モードの表示画面を更新する（ステップＳ７０６）。その後、設定された簡単設定モードのページに対し設定済フラグをセットし（ステップＳ７０８）、設定済フラグがリセットされている簡単設定モードのページがあるかを調べ、ページがあった場合（ステップＳ７１０でＹＥＳ）はその中から一番ページ番号の小さい画面を取得し（ステップＳ７１２）、簡単設定モードの画面を更新する（ステップＳ７１６）。ページがなかった場合（ステップＳ７１０でＮＯ）は、広告情報格納部１０４から広告情報画面を読込み（ステップＳ７１４）、簡単設定モードが表示されている表示部に広告情報を表示する（ステップＳ７１６）。
【００６４】
詳細設定モードの設定画面に設定入力を受けると（ステップＳ６１４でＹＥＳ）、入力された値で表示画面を更新する（図９、ステップＳ９０２）。デジタル複合機３０は、設定された項目が簡単設定モードで設定可能か否かを判定し、設定可能である場合（ステップＳ９０４でＹＥＳ）は、詳細設定モードで入力された値を簡単設定値に変換し（ステップＳ９０６）、その値を設定するための簡単設定モードのページを更新し（ステップＳ９０８）、更新したページに対して設定済フラグをセットする（ステップＳ９１０）。その後、設定済フラグがリセットされている簡単設定モードのページがあるかを調べ、ページがあった場合（ステップＳ９１２でＹＥＳ）は、その中から一番ページ番号の小さい画面を取得し（ステップＳ９１４）、簡単設定画面を更新する（ステップＳ９１８）。ページがなかった場合（ステップＳ９１２でＮＯ）は、広告情報格納部１０４から広告情報画面を読込み（ステップＳ９１６）、簡単設定モードが表示されている表示部に広告情報を表示する（ステップＳ９１８）。
【００６５】
スタートキー１３８が押されると、画像読取部５２にセットされた原稿が読込まれ、画像データとして画像蓄積部６４に記録され（図６、ステップＳ６２０）、入力された印刷設定に基づいて印刷画像データを生成し（ステップＳ６２２）、印刷を実行する（ステップＳ６２４）。その後、簡単設定モードのページ情報に対応する設定済フラグをリセットし（ステップＳ６２６）、このプログラムを終了する。
【００６６】
全解除キー１３６が押された場合（ステップＳ６０８でＹＥＳ）、簡単設定モードのページ情報に対応する設定済フラグをリセットし（ステップＳ６２６）、このプログラムを終了する。
【００６７】
以上のように、第１の実施の形態にかかるデジタル複合機３０は、予め入力された表示設定にしたがって、第１及び第２の表示部に簡単設定モード及び詳細設定モードの設定画面をそれぞれ表示する。簡単設定モードで設定された項目は、詳細設定値に変換されて詳細設定モードでの設定及び表示画面に反映される。詳細設定モードで設定された項目は、簡単設定モードで設定可能な場合、簡単設定値に変換されて簡単設定モードでの設定及び表示画面に反映される。また、設定した項目の内、簡単設定モードで設定可能な項目に関しては、その項目設定後に設定済フラグをセットし、簡単設定モードの設定画面に表示しないように制御している。
【００６８】
このように、本実施の形態に係るデジタル複合機３０では、どちらのモードで設定入力を行なってもその設定値は両方のモードに反映される。簡単設定モードは多くの機能の中で特によく使われる機能の設定に適したものであり、利用者は簡単に設定を行なうことができる。また、簡単設定モードで設定された項目に関して再表示を防ぐことで、一度設定された項目が簡単設定モードで再設定されることを防ぎ、設定入力ミスを防ぐことができる。その結果、多くの機能を備えた画像形成装置において、利用者にとって操作性がよく、簡単かつ正確に所望の機能を設定することができる操作装置を提供することができる。
【００６９】
上記の動作では、設定済フラグがリセットされた簡単設定モードのページがない場合は、広告情報画面を読込み表示しているが、簡単設定モードの画面表示をオフにしてもよい。また、広告情報画面を表示するか否かを利用者が設定するようにしても良い。コンビニエンスストアなど不特定の利用者がデジタル複合機を使用する場合には、広告情報画面を表示し商品紹介などをすることで販売促進の効果が期待される。また、簡単設定モードの画面表示をオフにする場合には、いわゆる省エネルギーの効果が期待される。それらの効果を考慮し利用者が適当な表示設定を行なうことで、簡単設定モードでの設定後の表示部を有効に利用することができる。
【００７０】
［第２の実施の形態］
第２の実施の形態では、利用者毎にユーザＩＤとそれに対応するパスワードが与えられる。利用者は、詳細設定モード及び簡単設定モードの画面をそれぞれ、第１及び第２の表示部のどちらに表示するかを設定することができ、ユーザ設定としてデジタル複合機に記憶させることができる。
【００７１】
―構成―
第２の実施の形態にかかるデジタル複合機２００に関して、ハードウェア構成は第１の実施の形態にかかるデジタル複合機３０と同一であるが、ＣＰＵ５０で実行されるプログラムが異なっている。
【００７２】
また、利用者は割振られたユーザＩＤに対して、詳細設定モード及び簡単設定モードの画面をそれぞれ、第１及び第２の表示部８０、８２のどちらに表示するかを予め設定しておく。それらユーザＩＤに対する設定は、ユーザ情報管理部５６に記憶される。
【００７３】
図１０は、デジタル複合機２００のＣＰＵ５０で実行され、ユーザ認証を行ない、ユーザ毎の設定にしたがって簡単設定モード及び詳細設定モードの両方を用いて、印刷設定を入力し、印刷を実行するまでのプログラムの制御構造をフローチャート形式で表す図である。このプログラムは、第１の表示部８０に入力操作を受けた時に実行される。
【００７４】
図１０を参照して、このプログラムは、ログイン処理をするステップＳ１００２を含む。
【００７５】
図１１は、図１０のステップＳ１００２で実行されるログイン処理におけるプログラムの制御構造をフローチャート形式で表す図である。図１１を参照して、このプログラムは、第１の表示部８０にログイン画面を表示するステップＳ１１０２と、ステップＳ１１０２に続いて実行され、ログイン画面で利用者からユーザＩＤ及びパスワードの入力を受けるステップＳ１１０４と、ステップＳ１１０４に続いて実行され、入力されたユーザＩＤに対して正しいパスワードが入力されたか否かを判定し、判定結果に応じて制御の流れを分岐させるステップＳ１１０６と、ステップＳ１１０６で正しいパスワードが入力された（ＹＥＳ）と判定された場合に実行され、利用者は該ユーザＩＤが与えられたユーザであるとして認証するステップＳ１１０８とを含む。ステップＳ１１０８実行後、このプログラムを終了する。また、ステップＳ１１０６で、正しいパスワードが入力されていない（ＮＯ）と判定された場合、このプログラムを終了する。
【００７６】
再び図１０を参照して、このプログラムはステップＳ１００２に続いて実行され、ステップＳ１００２ユーザが認証されたか否かを判定し、判定結果に応じて制御の流れを分岐させるステップＳ１００４と、ステップＳ１００４で認証された（ＹＥＳ）と判定された場合に実行され、そのユーザＩＤに対して設定された画面表示情報を読込み、読出された情報にしたがい設定画面生成部８８が記憶部７６から簡単設定モードと詳細設定モードとの初期画面を読出すステップＳ１００６と、ステップＳ１００６に続いて実行され、ステップＳ１００２で認証されたユーザＩＤの設定にしたがって簡単設定モードの初期画面を第１の表示部８０及び第２の表示部８２の一方に表示するステップＳ１００８と、ステップＳ１００８に続いて実行され、ユーザＩＤの設定にしたがって詳細設定モードの初期画面を第１の表示部８０及び第２の表示部８２の他方に表示するステップＳ１０１０とを含む。
【００７７】
このプログラムはさらに、ステップＳ１０１０に続いて実行され、全解除キー１３６が押されたか否かを判定し、判定結果に応じて制御の流れを分岐させるステップＳ１０１２と、ステップＳ１０１２で全解除キー１３６が押されていない（ＮＯ）と判定された場合に実行され、スタートキー１３８が押されたか否かを判定し、判定結果に応じて制御の結果を分岐させるステップＳ１０１４と、ステップＳ１０１４でスタートキー１３８が押されていない（ＮＯ）と判定された場合に実行され、簡単設定モードの画面で設定入力操作を受けたか否かを判定し、判定結果に応じて制御の流れを分岐させるステップＳ１０１６と、ステップＳ１０１６で設定入力操作を受けていない（ＮＯ）と判定された場合に実行され、詳細設定モード画面で設定入力操作を受けたか否かを判定し、判定結果に応じて制御の流れを分岐させるステップＳ１０１８と、ステップＳ１０１６で、簡単設定モード画面で設定入力操作を受けた（ＹＥＳ）と判定された場合に実行され、第１の設定変更処理を実行し制御をステップＳ１０１２に戻すステップＳ１０２０と、ステップＳ１０１８で、詳細設定モード画面で設定入力操作を受けた（ＹＥＳ）と判定された場合に実行され、第２の設定変更処理を実行し、制御をステップＳ１０１２に戻すステップＳ１０２２とを含む。ステップＳ１０１８で、詳細設定画面で設定入力操作を受けていない（ＮＯ）と判定された場合、制御はステップＳ１０１２に戻る。
【００７８】
ステップＳ１０２０では、図７に示す第１の設定変更処理のプログラムと類似のプログラムが実行される。ただし、第２の実施の形態では、図７のプログラムにおいて、ステップＳ７０１及びステップＳ７１８の処理は省略される。さらに、ステップＳ７０２に代えて、ステップＳ１０１６で入力を受けた項目に対応する簡単設定画面の表示を更新する処理を実行し、ステップＳ７０８に代えて、ステップＳ１０１６で設定入力を受けた簡単設定モードのページに対して、設定済フラグを付加情報として設定する処理を実行する。
【００７９】
ステップＳ１０２２では、図９に示す第２の設定変更処理のプログラムと類似のプログラムが実行される。ただし、第２の実施の形態では、図９のプログラムにおいて、ステップＳ９０２に代えて、ステップＳ１０１８で入力を受けた設定に対応して詳細設定画面の表示を更新する処理が実行される。
【００８０】
図１０を参照して、このプログラムはさらに、ステップＳ１０１４でスタートキー１３８が押された（ＹＥＳ）と判定された時に実行され、画像読取部５２で原稿を読取り、画像データを画像蓄積部６４に記録するステップＳ１０２４と、ステップＳ１０２４に続いて実行され、ステップＳ１０２４で記憶された画像データから印刷設定にしたがって印刷用画像データを生成するステップＳ１０２６と、ステップＳ１０２６に続いて実行され、ステップＳ１０２６で生成された印刷用画像データを画像形成部５４で印刷するステップＳ１０２８と、ステップＳ１０２８に続いて実行され、簡単設定モードのページ情報に対応する設定済フラグをリセットするステップＳ１０３０と、ステップＳ１０３０に続いて実行され、認証されたユーザＩＤのログアウト処理を行なうステップＳ１０３２とを含む。ステップＳ１０１２で全解除キー１３６が押された（ＹＥＳ）と判定された場合、制御はステップＳ１０３０に進む。ステップＳ１０３２実行後、このプログラムは終了する。ステップＳ１００４で、ユーザ認証されていない（ＮＯ）と判定された場合、このプログラムは終了する。
【００８１】
―動作―
第２の実施の形態にかかるデジタル複合機２００は以下のように動作する。
【００８２】
デジタル複合機２００は、電源投入され、第１の表示部８０に入力操作を受けると図１０に示すプログラムが起動する。プログラムが起動するとログイン処理を行ない（ステップＳ１００２）、ログイン画面を第１の表示部８０に表示する（図１１、ステップＳ１１０２）。ログイン画面から利用者に予め割当てられたユーザＩＤ及びパスワードの入力を受け（ステップＳ１１０４）、入力されたパスワードが入力されたユーザＩＤに対応したパスワードであるかを判定し（ステップＳ１１０６）、正しいパスワードである場合は利用者をユーザとして認証する（ステップＳ１１０８）。入力されたユーザＩＤに対してパスワードが正しくない場合は、ユーザ認証せずにログイン処理を終了する。
【００８３】
ログイン処理においてユーザ認証されたと判定された（ステップＳ１００４でＹＥＳ）場合は、ユーザＩＤ毎に設定された画面表示設定を読込み（ステップＳ１００６）、読込んだ設定にあわせて第１及び第２の表示部８０、８２にそれぞれ、簡単設定モード及び詳細設定モードの画面の一方及び他方を表示する（ステップＳ１００８、１０１０）。
【００８４】
デジタル複合機２００は、簡単設定モードの設定画面で設定入力を受けると（ステップＳ１０１６でＹＥＳ）、入力された値で表示画面を更新する（図７、ステップＳ７０２）。簡単設定モードで入力された値を詳細設定値に変換し（ステップＳ７０４）、その値に対応するように詳細設定画面を更新する（ステップＳ７０６）。その後、設定された簡単設定モードのページに対し設定済フラグをセットし（ステップＳ７０８）、設定済フラグがリセットされている簡単設定モードのページがあるかを調べる。ページがあった場合（ステップＳ７１０でＹＥＳ）はそのページの中からページ番号の一番小さいページの画面を取得し（ステップＳ７１２）、簡単設定モードの画面を更新する（ステップＳ７１６）。ページがなかった場合（ステップＳ７１０でＮＯ）は、広告情報格納部１０４から広告情報画面を取得し（ステップＳ７１４）、簡単設定モードが表示されている表示部に広告情報を表示する（ステップＳ７１６）。
【００８５】
詳細設定モードの設定画面に設定入力を受けると（ステップＳ１０１８でＹＥＳ）、入力された値で詳細設定モードの表示画面を更新する（図９、ステップＳ９０２）。デジタル複合機２００は、設定された項目が簡単設定モードで設定可能か否かを判定し、設定可能である場合（ステップＳ９０４でＹＥＳ）は、詳細設定モードで入力された値を簡単設定値に変換し（ステップＳ９０６）、その値の設定に対応する簡単設定モードのページを更新し（ステップＳ９０８）、更新したページに対して設定済フラグをセットする（ステップＳ９１０）。その後、設定済フラグがリセットされている簡単設定モードのページがあるかを調べ、ページがあった場合（ステップＳ９１２でＹＥＳ）は、その中からページ番号の一番小さい画面を取得し（ステップＳ９１４）、簡単設定画面を更新する（ステップＳ９１８）。ページがなかった場合（ステップＳ９１２でＮＯ）は、広告情報格納部１０４から広告情報画面を取得し（ステップＳ９１６）、簡単設定モードが表示されている表示部に広告情報を表示する（ステップＳ９１８）。
【００８６】
スタートキー１３８が押されると、画像読取部５２にセットされた原稿が読込まれ、画像データとして画像蓄積部６４に記録され（図１０、ステップＳ１０２４）、入力された印刷設定に基づいて印刷データを生成し（ステップＳ１０２６）、印刷を実行する（ステップＳ１０２８）。その後、簡単設定モードのページ情報に対応する設定済フラグをリセットし（ステップＳ１０３０）、このプログラムを終了する。
【００８７】
全解除キー１３６が押された場合（ステップＳ１０１２でＹＥＳ）、簡単設定モードのページ情報に対応する設定済フラグをリセットし（ステップＳ１０３０）、ステップＳ１００２でログインしたユーザＩＤのログアウト処理を実行して（ステップＳ１０３２）、このプログラムを終了する。
【００８８】
ログイン処理においてユーザ認証されなかった（ステップＳ１００４でＮＯ）場合は、何も処理をせずにプログラムを終了する。
【００８９】
以上のように、第２の実施の形態では、第１の実施の形態に加えて、利用者に対して予めユーザＩＤとパスワードとを配布する。デジタル複合機２００はユーザＩＤとそれに対応するパスワードの両方を記憶し、ユーザＩＤとパスワードの入力によってユーザ認証を行なう。また、利用者は自分の好みに合わせて第１及び第２の表示部のどちらに簡単設定モード及び詳細設定モードの設定画面を表示するかを設定することができ、デジタル複合機２００はその設定を記憶する。ユーザ毎に簡単設定モード及び詳細設定モードの設定画面を第１及び第２の表示部のどちらに表示するかを設定できることで、よく使う設定モードの画面を利用者にとって使いやすい表示部に表示することができる。また、ユーザ毎に表示設定を変えることが可能であるため、各利用者にとって操作性の良い環境が実現できる。その結果、多くの機能を備えた画像形成装置において、利用者にとって操作性がよく、簡単かつ正確に所望の機能を設定することができる操作装置を提供することができる。
【００９０】
以上のように、デジタル複合機を用いることで、多くの機能を備えた画像形成装置において、利用者にとって操作性がよく、簡単かつ正確に所望の機能を設定することができる操作装置を提供することができる。
【００９１】
また上記の実施の形態では、コピーモードについて述べたが、ファクシミリ送信などのイメージ送信モード、プリンタモードに上記の発明を用いてもよい。その結果、設定作業において、操作性がよく簡単かつ正確に所望の機能を設定することができる。
【００９２】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味および範囲内でのすべての変更を含む。
【符号の説明】
【００９３】
３０、２００  デジタル複合機
５２  画像読取部
５４  画像形成部
５６  ユーザ情報管理部
６０  第１の操作部
６２  第２の操作部
６４  画像蓄積部
８０  第１の表示部
８２  第２の表示部
１３６  全解除キー
１３８  スタートキー
【図１】
2010160676.tif 000003
【図２】
2010160676.tif 000004
【図３】
2010160676.tif 000005
【図４】
2010160676.tif 000006
【図５】
2010160676.tif 000007
【図６】
2010160676.tif 000008
【図７】
2010160676.tif 000009
【図８】
2010160676.tif 000010
【図９】
2010160676.tif 000011
【図１０】
2010160676.tif 000012
【図１１】
2010160676.tif 000013